(57)【要約】【課題】高圧の空気を対象物に吹き付けてその清掃を行う清掃器具において、清掃時に吹き飛ばされた塵埃や異物が操作者側に跳ね返ることを簡単な構成により、防止しようとするものである。【解決手段】ノズル２の先端に設けられた噴射口２ａから高圧の空気を噴射して対象物Ｗの清掃を行う清掃器具において、上記ノズル２の周囲に、ノズル２の外方に向けて空気を噴射する第二の噴射口２ｂを放射状に複数、設けた。そして、清掃時に、この第二の噴射口２ｂから噴射される空気で操作者の前方にエアーカーテンを形成し、吹き飛ばされた塵埃や異物が操作者側に跳ね返らないようにした。【選択図】  図３
2004181398.tif 000002
【特許請求の範囲】
【請求項１】
エアーコンプレッサーと耐圧ホースを介して接続され、ノズルの先端に設けられた噴射口から高圧の空気を噴射して対象物の清掃を行う清掃器具において、
上記ノズルの周囲に、ノズルの外方に向けて空気を噴射する第二の噴射口が、放射状に複数、設けられ、この第二の噴射口から噴射される空気で、清掃時に対象物からの跳ね返りを防止するエアーカーテンが形成されるようにしたことを特徴とする清掃器具。
【発明の詳細な説明】
【０００１】
【発明の属する技術分野】
本発明は、ノズルの先端から高圧の圧縮空気を噴射し、その噴射圧で対象物に付着した汚れや、狭小な隙間に堆積した塵埃などを吹き飛ばし、清掃するための所謂エアーダスターガンと称される清掃器具に関する。
【０００２】
【従来の技術】
一般にこの種の清掃器具は、図４に示すように、先端（図４において左側）にノズル１１を有し、後部下方（図４において右下側）にグリップ１３が設けられると共に、このグリップ１３と対向するようにその前方に操作レバー１２が設けられており、その形状からエアーダスターガンと称されている。このエアーダスターガン１０は、グリップ１３の下方に設けられたコネクター１４に耐圧ホース（図示せず）が接続されることにより、この耐圧ホースを介して図示しないコンプレッサーから高圧の圧縮空気が供給されるようになっている。そして、操作レバー１２の回動操作により、内部に設けられた図示しない空気流路を開閉し、適宜、ノズルから対象物（図示せず）に向けて高圧の圧縮空気を噴射し、その清掃を行うようになっている。
【０００３】
ここにおいて、従来のエアーダスターガン１０は、ノズル１１の先端に図５に示すように複数の噴射口１１ａが環状に配置して設けられていたり、あるいは、図７に示すようにノズル１５の先端をテーパー状の傾斜面１５ｂとし、この傾斜面１５ｂの同高位置に、同様にして複数の噴射口１５ａを前方（図７において左方）に向けて環状に配置して設けられたりしていた。
【０００４】
そして、ノズル１１の先端面に噴射口１１ａが設けられたものは、図６に示すように圧縮空気が対象物Ｗに対して直線状に噴射され、テーパー状の傾斜面１５ｂに噴射口１５ａが設けられたものは、図７に示すように圧縮空気が対象物Ｗに対して円錐状に拡がって噴射されるようになっていた。
【０００５】
また、この他に図８に示すように、噴射口が設けられたノズル２１を吸引筒２２で覆うと共に、この吸引筒２２の先端にカップ状の部材２３を設けた清掃器具２０があった。この清掃器具２０は、カップ状の部材２３を対象物（図示せず）に押し付けた状態で使用されるものであり、中央のノズル２１から前方に向けて空気が噴射されると共に、カップ状の部材２３の先端周縁から内方に向けて空気が噴射され、対象物に当たって吹き飛ばされた塵埃は、この内方に向かう空気流に乗ってカップ状の部材２３に連続して設けられた吸引筒２２から後方（図８において右方）に向かって吸引されるようになっている。（例えば、特許文献１参照）。
【０００６】
なお、図８において、符号２７は握持用のグリップ、２６はノズル２１に連通した空気流路２４を開閉する操作ボタン、２５は、カップ状の部材２３に内装されるように、前記空気流路２４を分岐して設けられた管路を示す。
【０００７】
【特許文献１】
特許第３０２７３６５号公報（第２−３頁、第３図、第４図）
【０００８】
【発明が解決しようとする課題】
上述した従来の清掃器具のうち、図６と図７に示したものは、何れもノズルから噴射された高圧の空気は、対象物に当たって塵埃を吹き飛ばした後、その周囲に飛散するようになっている。したがってグリップを持った操作者側に、この塵埃を含んだ空気が跳ね返るおそれがあり、操作する際に防塵マスクやゴーグルなどの防塵対策を講じる必要があった。しかしながら、機械の組立てや修理などの際には、連続して次の作業を行うため、これらの防塵具を着用することは煩わしく、実際にはあまり着用されていないことが現実であった。
【０００９】
したがって、塵埃が目に入ったり、場合によっては、異物が操作者側に跳ね返り、思わぬ事故を引き起こすおそれがあった。
【００１０】
また、図８に示したようにカップ状の部材で対象物を覆い、吹き出した塵埃を吸引するようにしたものは、上記のような事故は防止されるが、先端にカップ状の部材が設けられているため、狭小な個所にノズルを差し込む事ができず、清掃する対象物が限られるという問題点があった。また、清掃する対象物がカップ状の部材で覆われるため、清掃範囲が限られると共に、清掃状態を見ながら作業を行うことができないという問題点もあった。さらにこの清掃器具は、高圧の空気を噴射するノズルの他に、先端にカップ状の部材が設けられた吸引筒を要し、かつ、このカップ状の部材中にノズルから分岐した管路も設けなくてはならず、構成が複雑で、高価になるという問題点もあった。
【００１１】
本発明は、上記従来の圧縮空気を用いた清掃器具が有していた問題点の解決を課題とする。
【００１２】
【課題を解決するための手段】
上記の課題を解決するために、本発明では、エアーコンプレッサーと耐圧ホースを介して接続され、ノズルの先端に設けられた噴射口から高圧の空気を噴射して対象物の清掃を行う清掃器具において、上記ノズルの周囲に、ノズルの外方に向けて空気を噴射する第二の噴射口を放射状に複数設けた。このことで、清掃時に、この第二の噴射口から噴射される空気で操作者の前方にエアーカーテンを形成し、吹き飛ばされた塵埃や異物が操作者側に跳ね返らないようにした。
【００１３】
【発明の実施の形態】
以下、本発明を図示した実施の形態に基づき詳細に説明する。
【００１４】
図１は、本発明の清掃器具の実施形態を示した側面図である。図示したようにこの清掃器具１は、先端にノズル２を有し、後部下方（図１において右下方）にグリップ４が設けられると共に、このグリップ４と対向するようにその前方（図１において左方）に操作レバー３が設けられた所謂エアーダスターガンと称されるものである。この清掃器具１は、グリップ４の下方に設けられたコネクター５に耐圧ホース（図示せず）が接続されることにより、この耐圧ホースを介して図示しないコンプレッサーから高圧の圧縮空気が供給され、操作レバー３の回動操作により、内部に設けられた空気流路（図示せず）が開閉され、ノズル２への高圧空気の供給が断続されるようになっている。
【００１５】
ここにおいて、本発明の清掃器具１では、ノズル２の先端面に図２に示すように高圧空気噴射用の第一の噴射口２ａを設けると共に、このノズル２の周囲に、前記噴射口２ａに開口した内部の空気流路（図示せず）と連通するように、第二の噴射口２ｂを放射状に複数、設けている。したがって、操作レバー３を引いて内部の空気流路を開放すると、コンプレッサからの高圧空気がノズル２へと流れ、その先端に設けられた噴射口２ａから前方に向かって勢い良く噴射されると同時に、その周囲に設けられた第二の噴射口２ｂからノズル２の周囲に放射状に空気が噴射されるようになっている。
【００１６】
図３は、本発明の清掃器具１の使用状態説明図である。図示したように、本発明の清掃器具１では、ノズル２の先端に設けられた第一の噴射口２ａから前方（図３において左方）に向かって勢い良く噴射された高圧空気が対象物Ｗに当り、その表面に付着した汚れや塵埃などを吹き飛ばし、対象物Ｗを清浄にするものであるが、この時、同時にノズル２の周囲に設けられた第二の噴射口２ｂからもノズル２の周囲に放射状に高圧の空気が吹き出し、この放射状に吹き出した空気で、図３に矢印で示したように対象物Ｗに当たって跳ね返った塵埃を含む空気や、跳ね飛ばされた異物などが、周囲に吹き飛ばされるようになっている。従って、この放射状に吹き出した空気は、ノズル２の後方（図３において右方）に位置した操作者を、跳ね返りから護るエアーカーテンのように機能するものである。
【００１７】
よって、簡易な作業であれば、特に防塵マスクやゴーグルなどを着用しなくても作業者の安全が確保され、作業が行い易く、作業能率も向上することとなる。
【００１８】
以上のようにして本発明の清掃器具１は、用いられるものである。
【００１９】
なお、図示した実施の形態では、第一の噴射口２ａとしてノズル２の先端面に環状に配置されたものを例示したが、本発明の清掃器具１は、清掃用の空気を噴射する第一の噴射口２ａの他に、ノズル２の周囲に放射状に空気を噴射して作業者との間にエアーカーテンを形成する第二の噴射口２ｂが設けられていれば良く、第一の噴射口２ａの形状や個数は、図示したものに限定されるものではない。
【００２０】
また、清掃器具１としてグリップ４の前方に引き金状の操作レバー３が設けられたガンタイプのものを例示したが、本発明の清掃器具１は、高圧の空気をノズル２の先端から噴射して清掃するものであれば良く、その形状は図示したものに限定されるものではなく、公知の同種の装置内の範囲で、どの形状のものを使用するかは、任意である。
【００２１】
【発明の効果】
以上説明したように、本発明の清掃器具は、ノズルの周囲にエアーカーテンを形成する第二の噴射口を放射状に設けたので、清掃時の跳ね返りが効果的に防止され、作業者の安全が確保される。また、軽微な作業であれば、防塵対策を講じる必要がないので、作業が行い易く、作業能率も向上する。
【００２２】
さらに、本発明の清掃器具は、清掃に用いられる高圧空気の一部を効果的に利用しているので、構成が簡単であり、何ら新たな装置を付加する必要がなく、既存の設備をそのまま利用してコスト低廉に実施することができるという効果がある。
【図面の簡単な説明】
【図１】本発明に係る清掃器具の実施形態を示した側面図である。
【図２】ノズルの正面図である。
【図３】使用状態の説明図である。
【図４】従来例の側面図である。
【図５】図４に示されたノズルの正面図である。
【図６】従来例による使用状態説明図である。
【図７】他の従来例による使用状態説明図である。
【図８】更に他の従来例を示した断面図である。
【符号の説明】
１  清掃器具
２  ノズル
２ａ  第一の噴射口
２ｂ  第二の噴射口
３  操作レバー
４  グリップ
５  コネクタ−
Ｗ  清掃対象物
【図１】
2004181398.tif 000003
【図２】
2004181398.tif 000004
【図３】
2004181398.tif 000005
【図４】
2004181398.tif 000006
【図５】
2004181398.tif 000007
【図６】
2004181398.tif 000008
【図７】
2004181398.tif 000009
【図８】
2004181398.tif 000010